(57)【要約】【課題】  係止構造に工夫を施すことで来店者等が触れたりぶつかったりしても簡単に分解されない組立式スタンドを提供することを目的とする。【解決手段】  １枚の平板２００を折り曲げることによって形成される組立式スタンド１００であって、前記組立式スタンド１００は正面板１０と背面板４０から構成され、前記背面板４０は、係止孔４３ａ，４４ａと、前記係止孔４３ａ，４４ａに係合するための突起である係止片４１ａａ，４２ａａと、前記係止片４１ａａ，４２ａａまたは前記係止孔４３ａ，４４ａの内側面に設けられた係止補強部材４１ａｂ，４２ａｂを備えたことを特徴とする。【選択図】  図１
2018191720.tif 000002
【特許請求の範囲】
【請求項１】
１枚の平板を折り曲げることによって形成される組立式スタンドであって、前記組立式スタンドは正面板と背面板から構成され、前記背面板は、係止孔と、前記係止孔に係合するための突起である係止片と、前記係止孔または前記係止片の内側面に設けられた係止補強部材を備えたことを特徴とする組立式スタンド。
【請求項２】
前記係止補強部材は、係止箇所を中心として前記係止箇所を囲むように設けられていることを特徴とする請求項１記載の組立式スタンド。
【請求項３】
前記係止孔と前記係止片と前記係止補強部材から構成される係止部材は、前記背面板の上下２箇所にそれぞれ備えられていることを特徴とする請求項１または２記載の組立式スタンド。
【請求項４】
前記組立式スタンドは、前記正面板の左右端に折曲線を介して連設された一対の左側板および右側板を備え、前記背面板は、前記左側板の左端上部に折曲線を介して連設して設けられた右上背面板と、前記左側板の左端下部に折曲線を介して連設して設けられた右下背面板と、前記右側板の右端上部に折曲線を介して連設して設けられた左上背面板と、前記右側板の右端下部に折曲線を介して連設して設けられた左下背面板から構成されていることを特徴とする請求項１から３のいずれか一項記載の組立式スタンド。
【請求項５】
前記平板には複数の運搬用折曲線が設けられ、前記平板を前記運搬用折曲線に沿って折り曲げることで、長方形状に形成可能であることを特徴とする請求項１から４のいずれか一項記載の組立式スタンド。
【請求項６】
前記正面板には、雑誌等を収納するための収納部が設けられていることを特徴とする請求項１から５のいずれか一項記載の組立式スタンド。
【請求項７】
前記係止孔と前記係止片は円弧形状に形成されていることを特徴とする請求項１から６のいずれか一項記載の組立式スタンド。
【発明の詳細な説明】
【技術分野】
【０００１】
本発明は、１枚の平板を折り曲げて組み立てることで形成され、店頭などに設置して使用する折り畳み可能な組立式スタンドに関するものである。
【背景技術】
【０００２】
従来、組立式スタンドは、カタログ、説明書、雑誌、情報誌、書類、配布用冊子等を収納しておくための陳列棚であり、店頭、ショールーム、展示会場、学校施設等、様々な場所で使用されている。組立式スタンドは、展示会場への運搬や店頭での移動を容易にするため、発泡スチロール材や厚紙等の軽量な素材で形成され、運搬時は小さく折り畳んで箱に入れて持ち運び、使用時は、組み立てることで簡単に陳列棚とすることができる。
【０００３】
例えば特許文献１は、展示具に関するもので、本体１とスタンド２とから構成され、本体１の組み立てに際しては、基板１１等を角筒状に折り曲げ、継代片１４を基板１１に貼り付け、重合板１１ａを基板１１の前面に貼り合わせ、底片１６ａ、１６ｂ，１６ｃを噛み合わせて底面を閉止し、その後、棚３，４を組み立てて基板１１側に取り付け、さらにスタンド２を組み立てて、本体１に取り付ける（その段落００１３−００２５）ことが記載されている。
また特許文献２は、スタンド式ＰＯＰディスプレイに関するもので、段ボール紙１、正面板２、天面板４、左側面板６、右側面板７、左背面板１４、右背面板１５から構成され、右背面板１５の係止片１５２Ａを、左背面板１４に形成されたスリット１４２Ａに挿入係止することで組み立てる（その段落００１１，００１６）ことが記載されている。
【先行技術文献】
【特許文献】
【０００４】
【特許文献１】特開２００９−１０６６０９号公報
【特許文献２】実用新案登録第３１６２０７６号公報
【発明の概要】
【発明が解決しようとする課題】
【０００５】
発泡スチロール材や厚紙等の軽量な素材で形成された組立式スタンドは、店頭、ショールーム、展示会場等、短期間から中期間の使用が多いため、運搬および組み立ての容易さが重要な課題であり、簡単に設置場所まで運搬でき、設置場所にて短時間で組み立ておよび分解ができることが求められている。また、カタログ、説明書、雑誌、情報誌、書類、配布用冊子等を収納しておく陳列棚であることから、来店者や出席者が雑誌等をとるために組立式スタンドに触れたりぶつかったりしても簡単に分解されない程度の強度が必要となる。
しかしながら、特許文献１の展示具においては、組み立てる際に本体１とスタンド２の別々の平板をそれぞれ組み立てて接合する必要があるため、接合するのが難しく、展示具が使用できるまでに時間がかかってしまう。
また特許文献２のスタンド式ＰＯＰディスプレイにおいては、１枚の平板を組み立てることで使用することが可能であるが、完成するまでに係止箇所が多数あるため、組み立て手順が煩雑で、完成までに時間がかかり、また分解する場合も同様に時間がかかってしまう。
さらに、特許文献１および特許文献２においては、多数の来店者や出席者が展示具を強く触ったりぶつかったりする恐れがあるのにも関わらず、組立状態における展示具の強度に関しては全く考慮されていない。
【０００６】
そこで本発明は、１枚の平板を最小限の手順で簡単に組み立ておよび分解することが可能な組立式スタンドを提供することを目的とする。
また本発明の目的は、係止構造に工夫を施すことで来店者等が触れたりぶつかったりしても簡単に分解されない組立式スタンドを提供することを目的とする。
【課題を解決するための手段】
【０００７】
本発明は、１枚の平板を折り曲げることによって形成される組立式スタンドであって、前記組立式スタンドは正面板と背面板から構成され、前記背面板は、係止孔と、前記係止孔に係合するための突起である係止片と、前記係止孔または前記係止片の内側面に設けられた係止補強部材を備えたことを特徴とする。
本発明は、係止構造として、係止孔と係止片と係止補強部材を使用している。本発明によれば、係止補強部材を係止片または係止孔の内側面に接着させることにより、係止片と係止孔の係止箇所に外側面（表面）および内側面（裏面）から力が加わったとしても、係止箇所に加わった力を分散させて、係止片と係止孔が簡単に外れてしまうことを防止することが可能となる。
【０００８】
本発明の組立式スタンドは、前記係止補強部材が、係止箇所を中心として前記係止箇所を囲むように設けられていることを特徴とする。
本発明によれば、多数の来店者や出席者が組立式スタンドを強く触ったりぶつかったりすることで係止箇所に外部から大きな力が加わったとしても、係止箇所を中心として係止箇所を囲むように係止補強部材を設けているため、係止片と係止孔にかかる力が分散され、係止片と係止孔を保護することができ、係止片や係止孔の端部の破損を防止することが可能となる。さらに、係止片と係止孔が外れて組立式スタンドが分解されてしまうことを防ぐことが可能となる。
【０００９】
本発明の組立式スタンドは、前記係止孔と前記係止片と前記係止補強部材から構成される係止構造が、前記背面板の上下２箇所にそれぞれ備えられていることを特徴とする。
本発明によれば、係止構造が、背面板の上下２箇所のみに設けられているため、組立式スタンドの背面に設けられた上部と下部の２箇所の係止構造を係止するだけで、簡単に組立式スタンドを組み立てることが可能となる。
【００１０】
本発明の組立式スタンドは、前記正面板の左右端に折曲線を介して連設された一対の左側板および右側板を備え、前記背面板は、前記左側板の左端上部に折曲線を介して連設して設けられた右上背面板と、前記左側板の左端下部に折曲線を介して連設して設けられた右下背面板と、前記右側板の右端上部に折曲線を介して連設して設けられた左上背面板と、前記右側板の右端下部に折曲線を介して連設して設けられた左下背面板から構成されていることを特徴とする。
本発明によれば、正面板、左側板、右側板および背面板が折曲線を介して連設されているため、展開時、１枚の平板の状態であったとしても、容易に左側板、右側板を正面板から立設させ背面板の係止箇所で係止することが可能であり、簡単に組立式スタンドを組み立てることが可能となる。
また、使用時、組立式スタンドは、正面板、左側板、右側板、背面板によって囲んだ中空の矩形状となるため、組立式スタンドを安定して自立立設することが可能となる。
【００１１】
本発明の組立式スタンドは、前記平板には複数の運搬用折曲線が設けられ、前記平板を前記運搬用折曲線に沿って折り曲げることで、長方形状に形成可能であることを特徴とする。
本発明によれば、組立式スタンドの背面に設けられた上部と下部の２箇所の係止状態を解除して、平板を運搬用折曲線に沿って２回折り畳むことで、簡単に組立式スタンドを長方形状として運搬時の状態にすることが可能となり、組立式スタンドの分解および運搬が容易で、さらに組立式スタンドの保管する場合でも省スペースを図ることが可能となる。
【００１２】
本発明の組立式スタンドは、前記正面板には、雑誌等を収納するための収納部が設けられていることを特徴とする。
本発明によれば、正面板に設けられた収納部にカタログ、説明書、雑誌、情報誌、書類、配布用冊子等を収納し、陳列棚として使用することが可能となる。
【００１３】
本発明の組立式スタンドは、前記係止孔と前記係止片は円弧形状に形成されていることを特徴とする。
本発明によれば、係止孔と係止片は円弧形状に形成されているため、簡単に嵌合することが可能となる。
係止孔と係止片の形状は、係止片を押し込むことで簡単に嵌合することが可能であればどのような形状でもよく、多角形状や楕円形状でもよい。
【発明の効果】
【００１４】
本発明によれば、係止補強部材を係止片または係止孔の内側面に接着させることで、来店者や出席者等が強く触れたりぶつかったりして係止片と係止孔の係止箇所に外側面（表面）および内側面（裏面）から力が加わったとしても、係止補強部材によって係止片と係止孔を保護し、係止片と係止孔が簡単に外れてしまうことを防止することができる。
また本発明によれば、係止構造を組立式スタンドの背面の２箇所のみとすることや平板に運搬用折曲線や複数の折曲線を設ける等の構造上の工夫を施すことで、１枚の平板を最小限の手順で簡単に組み立ておよび分解することが可能な組立式スタンドを提供することができる。
【図面の簡単な説明】
【００１５】
【図１】本発明の第１の実施形態の組立式スタンド１００を示す正面斜視図である。
【図２】上記実施形態の組立式スタンド１００を示す背面斜視図である。
【図３】上記実施形態の組立式スタンド１００を示す正面図である。
【図４】上記実施形態の組立式スタンド１００を示す側面図である。
【図５】上記実施形態の組立式スタンド１００を示す背面図である。
【図６】上記実施形態の組立式スタンド１００の係止片部を示す拡大正面図である。
【図７】上記実施形態の組立式スタンド１００の係止片部を示す拡大背面図である。
【図８】上記実施形態の組立式スタンド１００の係止孔を示す拡大図である。
【図９】上記実施形態の組立式スタンド１００の係止片部と係止孔を接合する途中の状態を示す模式図である。
【図１０】上記実施形態の組立式スタンド１００を展開した場合（正面）の展開図である。
【図１１】上記実施形態の組立式スタンド１００を展開した場合（背面）の展開図である。
【図１２】上記実施形態の組立式スタンド１００の係止箇所に外側面（表面）から外力が加わった場合を説明する説明図である。
【図１３】上記実施形態の組立式スタンド１００の係止箇所に内側面（裏面）から外力が加わった場合を説明する説明図である。
【図１４】上記実施形態の組立式スタンド１００の平板２００を１回折り畳んだ状態を示す説明図である。
【図１５】上記実施形態の組立式スタンド１００の平板２００を２回折り畳んだ状態を示す説明図である。
【発明を実施するための形態】
【００１６】
以下、本発明を実施するための一形態について図面を引用しながら説明する。
【００１７】
（第１の実施の形態）
図１は、本発明の第１の実施形態の組立式スタンド１００を示す正面斜視図であり、図２は、上記実施形態の組立式スタンド１００を示す背面斜視図である。図３は、上記実施形態の組立式スタンド１００を示す正面図であり、図４は、上記実施形態の組立式スタンド１００を示す側面図である。図５は、上記実施形態の組立式スタンド１００を示す背面図である。図１０は、上記実施形態の組立式スタンド１００を展開した場合（正面）の展開図であり、図１１は、上記実施形態の組立式スタンド１００を展開した場合（背面）の展開図である。
【００１８】
本実施の形態の組立式スタンド１００は、段ボール、厚紙、薄紙、合成紙、合成樹脂シート等の１枚の平板２００を折り曲げることによって形成される陳列棚であって、正面板１０と、正面板１０の左右端に折曲線１２，１３を介して連設された一対の左側板２０および右側板３０と、組立式スタンド１００の背面を形成する背面板４０と、雑誌等の収納物を収納しておくための収納部５０から構成される。
組立式スタンド１００は、完成時、上方に延伸した長尺状となり、正面板１０が垂直状態から傾斜した状態で自立する。
組立式スタンド１００の展開状態である平板２００には、運搬時に長方形状の箱に収納可能となるように運搬用折曲線２０１，２０２，２０３，２０４が正面板１０，左側板２０，右側板３０および背面板４０にわたって設けられている（図１０、図１１）。
【００１９】
正面板１０は、完成時、前面に位置する板であり、長尺状の長方形状で、正面板１０の中央位置に上下方向に間隔を空けて収納部５０，５０・・・が備えられる。正面板１０の左端には折曲線を介して左側板２０が連設され、正面板１０の右端には折曲線を介して右側板３０が連設される。
一対の左側板２０と右側板３０は、完成時、両側面に位置する板であり、各々正面板１０を中心として左右対称の形状をしていて、左側板２０，右側板３０の下端から徐々に左右方向の幅が狭くなるように形成されている。
左側板２０の左端上部には右上背面板４１が折曲線２１を介して連設され、左端下部には右下背面板４２が折曲線２２を介して連設され、右側板３０の右端上部には左上背面板４３が折曲線３３を介して連設され、右端下部には左下背面板４４が折曲線３４を介して連設される。
運搬用折曲線２０１，２０２，２０３，２０４および折曲線１２，１３，２１，２２，３３，３４には、表面および裏面に予め直線状の細溝が形成されており、簡単に線に沿って折り曲げることが可能となっている。
収納部５０は、カタログ、説明書、雑誌、情報誌、書類、配布用冊子等を収納しておくための矩形状の箱であり、様々なサイズの収納物を収納可能であって、収納部５０の背面は、正面板１０に接着されている。
【００２０】
背面板４０は、完成時、背面に位置する板であり、右上背面板４１，右下背面板４２，左上背面板４３，左下背面板４４から構成される。
右上背面板４１および右下背面板４２は、右側板３０側から徐々に上下方向の幅が狭くなるように形成され、右上背面板４１および右下背面板４２の左端には係止片部４１ａ，４２ａが備えられている。
左上背面板４３および左下背面板４４も同様に、左側板３０側から徐々に上下方向の幅が狭くなるように形成され、左上背面板４３および左下背面板４４の左端には係止孔４３ａ，４４ａが設けられている。
右上背面板４１の係止片部４１ａと、左上背面板４３の係止孔４３ａを係合し、右下背面板４２の係止片部４２ａと、左下背面板４４の係止孔４４ａを係合することによって、背面板４０を介して左側板２０と右側板３０を接続するとともに、正面板１０を基準として左側板２０と右側板３０を垂直に折り曲げた状態、左側板２０を基準として左上背面板４３および左下背面板４４を略垂直に折り曲げた状態、右側板３０を基準として右上背面板４１および右下背面板４２を略垂直に折り曲げた状態を保つ。このように、組立式スタンドを組み立てた状態では、背面板４０が設けられた箇所において平面視および底面視すると、正面板１０，左側板２０，右側板３０，背面板４０によって囲んだ中空の矩形状となるため、組立式スタンド１００を安定して自立立設することが可能となる。
【００２１】
図６は、上記実施形態の組立式スタンド１００の係止片部を示す拡大正面図であり、図７は、上記実施形態の組立式スタンド１００の係止片部を示す拡大背面図である。図８は、上記実施形態の組立式スタンド１００の係止孔を示す拡大図である。
係止片部４１ａ，４２ａは、係止片４１ａａ，４２ａａと、係止補強部材４１ａｂ，４２ａｂから構成される。
係止片４１ａａ，４２ａａは、係止孔４３ａ，４４ａに設けられた係止孔４３ａａ，４４ａａに係合するための突起であり、円弧形状に形成され、係止片４１ａａ，４２ａａの内側面には係止補強部材４１ａｂ，４２ａｂが設けられている（図６，図７）。
係止補強部材４１ａｂ，４２ａｂは、係合個所を補強し、係合状態を保持するための部材であり、略長方形状の平板で、係止片４１ａａ，４２ａａと係止孔４３ａａ，４４ａａの係合個所を中心として係止片４１ａａ，４２ａａ，右上背面板４１，右下背板４２の内側面に接着されている。
一方、係止孔４３ａ，４４ａは、係止片４１ａａ，４２ａａの突起と係合するための孔であり、係止片４１ａａ，４２ａａと同様の円弧形状に形成されている。
係止補強部材４１ａｂ，４２ａｂは、係止片４１ａａ，４２ａａの内側面に設けられていたが、係止孔４３ａ，４４ａの内側面に設けられていてもよい。
【００２２】
（係合状態の説明）
図９は、上記実施形態の組立式スタンド１００の係止片部と係止孔を接合する途中の状態を示す模式図である。図１２は、上記実施形態の組立式スタンド１００の係止箇所に外側面（表面）から外力が加わった場合を説明する説明図であり、図１３は、上記実施形態の組立式スタンド１００の係止箇所に内側面（裏面）から外力が加わった場合を説明する説明図である。
次に、係止片４１ａａ，４２ａａと係止孔４３ａ，４４ａの係合状態に関して説明を行う。
係止片４１ａａ，４２ａａである突起（凸部）を係止孔４３ａ，４４ａである孔（凹部）に嵌め込み、係止片４１ａａ，４２ａａと係止孔４３ａ，４４ａを互いに嵌合する。嵌合すると、右上背面板４１と左上背面板４３の外側面（表面）および右下背面板４２と左下背面板４４の外側面（表面）は段差のないなめらかな平面状となる。また、背面板４０の内側面（裏面）は、係止箇所を中心として係止箇所を囲むように係止補助部材４１ａｂ，４２ａｂが配置される。具体的には、右上背面板４１に設けられた係止片４１ａａと、左上背面板４３に設けられた係止孔４３ａを嵌合すると、係止片４１ａａおよび右上背面板４１の内側面に接着された係止補助部材４１ａｂが、左上背面板４３の係止孔４３ａを囲むように左上背面板４３の内側面に接触して係止箇所を保護する。同様に、右下背面板４２に設けられた係止片４２ａａと、左下背面板４４に設けられた係止孔４４ａを嵌合すると、係止片４２ａａおよび右下背面板４２の内側面に接着された係止補助部材４２ａｂが、左下背面板４４の係止孔４４ａを囲むように左下背面板４４の内側面に接触して係止箇所を保護する。
ここで、係止片４１ａａ，４２ａａと係止孔４３ａ，４４ａを互いに嵌合して組立式スタンド１００を組み立てて立設させた状態で、係止片４１ａａ，４２ａａと係止孔４３ａ，４４ａの係止箇所に背面板４０の外側面（表面）および内側面（裏面）から力Ｆ１，Ｆ２が加わった場合を考える。背面板４０の外側面（表面）から係止箇所に力Ｆ１が加わった場合（図１２）、左上背面板４３および左下背面板４４には、右上背面板４１および右下背面板４２よりも内側に入り込もうとする力が加わる。しかしながら、右上背面板４１および右下背面板４２の内側面に接着された係止補助部材４１ａｂ，４２ａｂが左上背面板４３および左下背面板４４の内側面に接触しているため、右上背面板４１および右下背面板４２よりも内側に入り込む力を阻止し、係止片４１ａａ，４２ａａと係止孔４３ａ，４４ａが外れてしまうことを防ぐ。
一方、背面板４０の内側面（裏面）から係止箇所に力Ｆ２が加わった場合（図１３）、係止補助部材４１ａｂ，４２ａｂ全体で力Ｆ２を受けるため、係止箇所に加わった力Ｆ２を分散させて、右上背面板４１、右下背面板４２、左上背面板４３および左下背面板４４に伝達する。そのため、内側面（裏面）から係止箇所に力Ｆ２が加わった場合でも係止片４１ａａ，４２ａａと係止孔４３ａ，４４ａが簡単に外れてしまうことを防止する。
このように、組立式スタンド１００の背面板４０の内側面に係止補助部材４１ａｂ，４２ａｂが設けられているため、係止箇所の外側面（表面）および内側面（裏側）から外力が加わった場合でも、係止片４１ａａ，４２ａａと係止孔４３ａ，４４ａが外れることなく確実に係止状態を保持することが可能となる。
【００２３】
（組立式スタンド１００を組み立てる場合の流れ）
図１４は、上記実施形態の組立式スタンド１００の平板２００を１回折り畳んだ状態を示す説明図であり、図１５は、上記実施形態の組立式スタンド１００の平板２００を２回折り畳んだ状態を示す説明図である。
組立式スタンド１００を組み立てる場合の流れを順に説明する。
組立式スタンド１００は、平板２００を２回折り畳んだ状態で箱に収納され運搬される。
最初に、折り畳まれた状態の組立式スタンド１００（図１５）を箱から出し、運搬用折曲線２０１，２０２，２０３，２０４で折り畳まれた平板２００を、運搬用折曲線２０３，２０４を介して組立式スタンド１００の下部を開き（図１４）、その後、運搬用折曲線２０１，２０２を介して組立式スタンド１００の上部を開き平面状とする（図１１）。
次に、正面板１０の左右端である折曲線１２，１３を介して、左側板２０および右側板３０を正面板１０から立設させる。
そして、折曲線２１，３３を介して右上背面板４１および左上背面板４３を内側に折り曲げて、係止片４１ａａである突起（凸部）を係止孔４３ａである孔（凹部）に嵌め込み、係止片４１ａａと係止孔４３ａを互いに嵌合する。同様に、折曲線２２，３４を介して右下背面板４２および左下背面板４４を内側に折り曲げて、係止片４２ａａである突起（凸部）を係止孔４４ａである孔（凹部）に嵌め込み、係止片４２ａａと係止孔４４ａを互いに嵌合する。
最後の組立式スタンド１００を立設させる。
このように、２回折り畳まれた平板を開いて、組立式スタンド１００の背面に設けられた上部と下部の２箇所を係止するだけで、簡単に組立式スタンド１００を組み立てることが可能となる。
【００２４】
（組立式スタンド１００を折り畳む場合の流れ）
次に組立式スタンド１００を折り畳む場合の流れを順に説明する。
立設した組立式スタンド１００の背面側に設けられた係止片４１ａａ，４２ａａと係止孔４３ａ，４４ａの係合状態を外す。
そして、組立式スタンド１００を床等に横たえて、正面板１０、左側板２０、右側板３０、背面板４０を開いて平面状とする（図１１）。
その後、運搬用折曲線２０１，２０２を介して組立式スタンド１００の上部を折り畳み（図１４）、運搬用折曲線２０３，２０４を介して組立式スタンド１００の下部を折り畳む（図１５）ことで、組立式スタンド１００を長方形状とする。その後、箱等に収納することで、保管および運送を容易にすることが可能となる。
このように、組立式スタンド１００の背面に設けられた上部と下部の２箇所の係止状態を解除して、平板を２回折り畳むことで、簡単に組立式スタンド１００を運搬時の状態にすることが可能となる。
【符号の説明】
【００２５】
１００                                組立式スタンド、
１０                                  正面板，
２０                                  左側板、
３０                                  右側板、
４０                                  背面板、
４１                                  右上背面板、
４２                                  右下背面板、
４３                                  左上背面板、
４４                                  左下背面板、
４１ａ，４２ａ                        係止片部、
４１ａａ，４２ａａ                    係止片、
４１ａｂ，４２ａｂ                    係止補強部材、
４３ａ，４４ａ                        係止孔、
５０                                  収納部、
１２，１３，２１，２２，３３，３４    折曲線、
２００                                平板、
２０１，２０２，２０３，２０４        運搬用折曲線
【図１】
2018191720.tif 000003
【図２】
2018191720.tif 000004
【図３】
2018191720.tif 000005
【図４】
2018191720.tif 000006
【図５】
2018191720.tif 000007
【図６】
2018191720.tif 000008
【図７】
2018191720.tif 000009
【図８】
2018191720.tif 000010
【図９】
2018191720.tif 000011
【図１０】
2018191720.tif 000012
【図１１】
2018191720.tif 000013
【図１２】
2018191720.tif 000014
【図１３】
2018191720.tif 000015
【図１４】
2018191720.tif 000016
【図１５】
2018191720.tif 000017